(57)【要約】【課題】ユーザビリティを損なうことなく、設置場所における省スペース化を図ることができる洗濯槽付き洗面ユニットを提供すること。【解決手段】洗面器３０６を有する洗面部３００を備える洗濯槽付き洗面ユニット１であって、洗濯物を出し入れするための開口を有する洗濯槽５１０と、開口を閉塞するためのドア５１２と、を有する洗濯部５００を備え、洗濯槽付き洗面ユニット１の幅Ｗは、幅方向において洗面部３００と洗濯部５００とが重なる重なり部αを有することにより、洗面部３００の幅Ｗ１と洗濯部５００の幅Ｗ２との和よりも小さい（Ｗ＜Ｗ１＋Ｗ２）。【選択図】図３
0003228427.tif 000002
【実用新案登録請求の範囲】
【請求項１】
洗面器を有する洗面部を備える洗濯槽付き洗面ユニットであって、
洗濯物を出し入れするための開口を有する洗濯槽と、前記開口を閉塞するためのドアと、を有する洗濯部を備え、
前記洗濯槽付き洗面ユニットの幅方向における長さは、前記幅方向において前記洗面部と前記洗濯部とが重なる重なり部を有することにより、前記洗面部の前記幅方向における長さと前記洗濯部の前記幅方向における長さとの和よりも小さい、洗濯槽付き洗面ユニット。
【請求項２】
前記洗濯槽は、一端が前記開口で他端が底部となる円筒であり、
前記洗濯槽付き洗面ユニットの上下方向において前記洗面器と前記洗濯槽とが干渉しない、請求項１に記載の洗濯槽付き洗面ユニット。
【請求項３】
前記上下方向において前記洗濯部の上側に作業用の家事台を備える、請求項１又は請求項２に記載の洗濯槽付き洗面ユニット。
【請求項４】
前記上下方向において前記洗面部の下側に収納部を備える、請求項１から請求項３のいずれか１項に記載の洗濯槽付き洗面ユニット。
【請求項５】
前記上下方向において前記洗濯槽の下側に設けられた防水パンを備え、
前記防水パンの前記幅方向における長さは、前記洗濯槽付き洗面ユニットの前記幅方向における長さと略等しい、請求項１から請求項４のいずれか１項に記載の洗濯槽付き洗面ユニット。
【考案の詳細な説明】
【技術分野】
【０００１】
本考案は、洗濯槽付き洗面ユニットに関する。
【背景技術】
【０００２】
従来、風呂場の近傍に洗面ユニットと洗濯機とが設置されることが多く、風呂場近傍の空間を占有している。このため、洗面ユニットと洗濯機とを一体又は組み合わせることにより風呂場近傍の空間の省スペース化を図る物品が考案されている。例えば、特許文献１では、洗面化粧台の下部に洗濯機が収納され、洗濯機は下半分が床下に収納されており、レールにより洗面化粧台の手前側に洗濯機を引き出すことが可能である。また、特許文献２では、洗面台の下部に洗濯機が収納され、洗濯機の上方に洗濯機の蓋を兼ねた洗面ボウルが配置されている。
【先行技術文献】
【特許文献】
【０００３】
【特許文献１】実開平０６−０７４７５５号公報
【特許文献２】特開昭５７−１５３６８９号公報
【考案の概要】
【考案が解決しようとする課題】
【０００４】
しかしながら、従来の技術では、床下のスペースが必要であり、洗濯物の出し入れのためには洗濯機を手前に引き出す必要がある。また、洗濯機の蓋を洗面ボウルが兼ねている考案では、洗濯物の出し入れのためには洗面ボウルの開閉が必要となる。このため、洗面台と洗濯機とを一体又は組み合わせた構成においても、容易に洗濯物の出し入れを行うことが可能なユーザビリティを損なうことなく、設置場所における省スペース化を図ることが求められている。
【０００５】
本考案は、上記の事情に鑑みてなされたもので、ユーザビリティを損なうことなく、設置場所における省スペース化を図ることができる洗濯槽付き洗面ユニットを提供することを例示的課題とする。
【課題を解決するための手段】
【０００６】
上記の課題を解決するために、本考案は以下の趣旨を有する。
【０００７】
［趣旨１］
本考案の洗濯槽付き洗面ユニットは、
洗面器を有する洗面部を備える洗面ユニットであって、
洗濯物を出し入れするための開口を有する洗濯槽と、前記開口を閉塞するためのドアと、を有する洗濯部を備え、
前記洗濯槽付き洗面ユニットの幅方向における長さは、前記幅方向において前記洗面部と前記洗濯部とが重なる重なり部を有することにより、前記洗面部の前記幅方向における長さと前記洗濯部の前記幅方向における長さとの和よりも小さい。
【０００８】
［趣旨２］
前記洗濯槽は、一端が前記開口で他端が底部となる円筒であり、
前記洗濯槽付き洗面ユニットの上下方向において前記洗面器と前記洗濯槽とが干渉しなくてもよい。
【０００９】
［趣旨３］
前記上下方向において前記洗濯部の上側に作業用の家事台を備えてもよい。
【００１０】
［趣旨４］
前記上下方向において前記洗面部の下側に収納部を備えてもよい。
【００１１】
［趣旨５］
前記上下方向において前記洗濯槽の下側に設けられた防水パンを備え、
前記防水パンの前記幅方向における長さは、前記洗濯槽付き洗面ユニットの前記幅方向における長さと略等しくてもよい。
【００１２】
本考案の更なる目的又はその他の特徴は、以下添付図面を参照して説明される好ましい実施の形態によって明らかにされるであろう。
【考案の効果】
【００１３】
本考案によれば、ユーザビリティを損なうことなく、設置場所における省スペース化を図ることができる洗濯槽付き洗面ユニットを提供することができる。
【図面の簡単な説明】
【００１４】
【図１】実施形態の洗濯槽付き洗面ユニットを示す概略正面図
【図２】実施形態の洗濯槽付き洗面ユニットを示す概略側面図
【図３】実施形態の洗濯槽付き洗面ユニットを示す概略上面図
【考案を実施するための形態】
【００１５】
［実施形態］
（洗濯槽付き洗面ユニットの構成）
図１は本実施形態の洗濯槽付き洗面ユニット１を示す概略正面図、図２は本実施形態の洗濯槽付き洗面ユニット１を示す概略側面図、図３は本実施形態の洗濯槽付き洗面ユニット１を示す概略上面図である。ここで、洗濯槽付き洗面ユニット１の上下方向をＺ方向、洗濯槽付き洗面ユニット１を正面に見たときの左右方向をＸ方向、洗濯槽付き洗面ユニット１の前（手前）後（奥）方向をＹ方向とする。本実施形態の洗濯槽付き洗面ユニット１は、照明部１００、鏡キャビネット部２００、洗面部３００、家事台部４００、洗濯部５００、収納部６００、操作部７００、右側板８１０、左側板８２０、背面板８３０を備えている。
【００１６】
（照明部）
照明部１００は、照明１１０、照明用スイッチ１２０を有している。照明用スイッチ１２０を操作することにより照明１１０が点灯又は消灯する。照明１１０には蛍光灯、発光ダイオード（ＬＥＤ）照明その他の照明器具が用いられる。照明１１０を点灯することによりユーザの手元を明るくすることが可能である。照明用スイッチ１２０はユーザが操作しやすいように操作部７００に配置されている。
【００１７】
（鏡キャビネット部）
鏡キャビネット部２００は、鏡２１０、鏡２２０、収納部２３０、仕切り板２４０を有している。鏡２１０は開閉式の鏡であり、収納部２３０のドアを兼ねている。図３に、鏡２１０の閉状態を実線で、開状態を破線でそれぞれ示している。鏡２２０は固定式の鏡である。鏡２１０及び鏡２２０は、鏡２１０の開状態の角度を自由に設定することにより三面鏡として使用することが可能である。収納部２３０は、小物等を収納することが可能な収納部であり、図２に示す仕切り板２４０ａ、２４０ｂによって、例えば収納部２３０ａ、２３０ｂ、２３０ｃのように複数の棚に分割することが可能である。なお、仕切り板２４０の数や収納部２３０の分割数、分割の仕方はユーザが自由に設定することが可能である。
【００１８】
（洗面部）
洗面部３００は、洗面用水栓３０２、洗面器蓋３０４、洗面器排水口３０５、洗面器３０６、洗面器排水蓋３０７、洗面器排水管３０８、排水トラップ３０９を有している。洗面用水栓３０２は、水道管（不図示）に接続されており、水又はお湯を吐水するものであり、公知の種々のタイプの水栓が用いられる。洗面器蓋３０４は把持部３１０を有しており、把持部３１０を把持して洗面器蓋３０４を開閉することが可能である。洗面器蓋３０４を開状態とすることにより、洗面器３０６へのアクセスが可能となり、洗面器３０６のメンテナンス作業等を行うことが可能となる。洗面器蓋３０４は、閉状態とした場合、洗面器蓋３０４の上部が家事台４１０の一部となることで、作業スペースを拡大することが可能である。
【００１９】
洗面器３０６は洗面用水栓３０２から吐水された水又はお湯を受ける部材であり、洗面器排水口３０５を有している。洗面器排水口３０５に洗面器排水蓋３０７を嵌合する（又は被せる）ことにより洗面器３０６に水又はお湯を貯めることも可能である。洗面器排水管３０８は、洗面器排水口３０５を介して洗面器３０６に吐水された水又はお湯を下水管（不図示）に排水するための管である。洗面器排水管３０８は、収納部６００及び後述する洗濯機防水パンを通って下水管（不図示）に接続されている。洗面器排水管３０８には、水を溜めて下部からの悪臭を防ぐための排水トラップ３０９が設けられている。
【００２０】
（家事台部）
家事台部４００は家事台４１０を有している。家事台４１０は洗濯部５００の上部に位置し、ユーザが洗濯等の作業をする際のワークスペースとして利用することが可能である。家事台４１０は、洗濯部５００の上部の空間を利用することで、最小幅で設計することができ、家事台としての機能を保持したまま最少面積で構成することができる。このように、本実施形態では、洗濯部５００の上部及び洗面部３００上部を家事台４１０として有効に活用している。
【００２１】
（洗濯部）
洗濯部５００は、操作パネル５０２、洗剤投入口５０４、乾燥フィルター５０６、ドア開ボタン５０８、ドア５１２、洗濯槽５１０、洗濯機用水栓５１４、給水管５１６、接続口５１８、排水フィルター５２０、洗濯機排水管５２２、洗濯機防水パン５２４、防水パン排水口５２６、側板５２８、高さ調節ツマミ５３０、固定パネル５４０、取り外しパネル５４２を有している。操作パネル５０２及び洗剤投入口５０４は、ユーザが作業しやすいように操作部７００に配置されている。操作パネル５０２には、洗濯槽５１０を用いた洗濯動作を制御するための操作メニューが提示されている。洗濯部５００は、制御部（不図示）と、制御部（不図示）による洗濯動作の制御に必要な情報を記憶する記憶部（不図示）と、を有しており、制御部（不図示）は、操作パネル５０２によって選択された操作メニューに従って洗濯動作を制御する。ここで、洗濯動作とは、例えば洗い、すすぎ、脱水、乾燥等の、洗濯又は乾燥に必要な公知の動作である。なお、洗濯部５００は、制御部（不図示）により洗濯部５００を制御するために必要な種々の部材（モータ、クラッチ、ベルトその他の洗濯乾燥機に必須の部材）を有しているものとする。
【００２２】
洗剤投入口５０４には洗濯に必要な洗剤、漂白剤、柔軟剤等（以下、洗剤等という）が投入される。洗剤投入口５０４から洗濯槽５１０への洗剤等の投入のタイミングは制御部（不図示）により制御される。乾燥フィルター５０６は、乾燥時に発生した糸くずや埃等を受け止めるフィルターであり、乾燥経路（不図示）を介して洗濯槽５１０に接続されている。
【００２３】
ドア開ボタン５０８は、閉状態となっているドア５１２を開状態とするためのボタンである。図３に、ドア５１２の閉状態を実線で、開状態を破線でそれぞれ示している。なお、洗濯動作中にドア開ボタン５０８が押下されてドア５１２が開状態とならないように、ドア開ボタン５０８にロック機構を設けてもよい。ドア５１２は、洗濯槽５１０の開口を閉塞するためのドアであり、洗濯動作中の洗濯物や水の外部への露出を防止する。本実施形態では、ドア５１２が洗濯部５００の手前側（正面側）に設けられているため、従来のように洗面器が洗濯槽の蓋を兼ねたり、床下にレールを設けて洗濯機を引き出したりする必要がない。
【００２４】
洗濯槽５１０は、例えば円筒形のドラム式の脱水槽及び乾燥槽を兼ねた洗濯槽である。洗濯槽５１０は、円筒の一端には開口を、他端には底部をそれぞれ有し、開口はドア５１２によって閉塞される。図２に示すように、洗濯槽５１０は、開口側（ドア５１２側）が底部側よりも高くなるように斜めに配置される。
【００２５】
洗濯機用水栓５１４は、水道管（不図示）に接続されており、接続口５１８を介して洗濯槽５１０に水を供給する。給水管５１６は、洗濯機用水栓５１４から洗濯槽５１０に水を供給するための管である。洗濯槽５１０への水の供給のタイミングは、制御部（不図示）により制御される。排水フィルター５２０は、洗濯動作により発生した糸くずや衣類に付着していたゴミ等をネットに溜めるためのフィルターである。洗濯機排水管５２２は、排水フィルター５２０を介して下水管（不図示）に接続されている。
【００２６】
洗濯機防水パン５２４は、洗濯部５００及び洗面部３００において水漏れが発生した場合に洗濯槽付き洗面ユニット１が設置されている床への浸水を防止するための部材である。洗濯機防水パン５２４には防水パン排水口５２６が設けられており、洗面器排水管３０８及び洗濯機排水管５２２を防水パン排水口５２６に挿入し下水管（不図示）へと接続する。側板５２８は、上部において洗面部３００と洗濯部５００とを区切り、下部において収納部６００と洗濯部５００とを区切る板である。側板５２８の下部には接続口５１８が設けられ、接続口５１８には給水管５１６が貫通している。高さ調節ツマミ５３０は、例えば洗濯機防水パン５２４上部の少なくとも４か所に設けられ、洗濯槽付き洗面ユニット１の高さ方向を調節し、洗濯部５００及び家事台部４００の水平の調節にも用いられる。図１では、高さ調節ツマミ５３０を側板５２８の下部にも設けているが、高さ調節ツマミ５３０の設置数や設置位置はこれらに限定されない。
【００２７】
固定パネル５４０は、ドア５１２を保持し洗濯部５００を閉塞するための前板である。取り外しパネル５４２は、固定パネル５４０の下部に設けられ、洗濯部５００を閉塞するための前板であり、取り外し可能となっている。取り外しパネル５４２を取り外すことにより、洗濯部５００内部へのアクセスが可能となり、例えば高さ調節ツマミ５３０による水平調節が可能となる。また、取り外しパネル５４２を取り外した洗濯部５００の内部に、洗濯槽付き洗面ユニット１を設置場所に据え付ける際に、ハンドリフター等の作業道具を差し込むための差し込み口が取り付けられていてもよく、取り外しパネル５４２があることで洗濯部５００内部のメンテナンスが容易となる。
【００２８】
（収納部）
収納部６００はドア６１０を有している。収納部６００は、洗面部３００の下方、かつ、洗濯部５００の図１における左方の空間を、小物等を収納する空間として利用している。なお、収納部６００内に仕切り板等を設けて収納部６００の空間に洗面器蓋３０４を収納することが可能な構成としたり、収納部６００を複数に分割したりしてもよい。また、収納部６００の内部に、ドア６１０を開状態としたとき、ハンドリフター等の作業道具を差し込むための差し込み口が取り付けられていてもよい。
【００２９】
（操作部）
操作部７００には、照明用スイッチ１２０、操作パネル５０２、洗剤投入口５０４、コンセント７１０が配置されている。コンセント７１０は、例えばユーザがドライヤーやシェーバー等の電気機器を利用する際に用いることが可能である。操作部７００に、照明１１０の照明用スイッチ１２０や洗濯部５００の操作パネル５０２等を並列して配置することでユーザの操作が容易になる。
【００３０】
（側板等）
図２に示すように、右側板８１０は、照明部１００の右側板８１０ａ、鏡キャビネット部２００の右側板８１０ｂ、操作部７００の右側板８１０ｃ、洗濯部５００の右側板８１０ｄから構成されている。なお、右側板は、上述したように分割されていなくてもよく、一部又は全部が連続した右側板として構成されてもよい。また、左側板８２０についても、右側板と同様である。なお、右側板８１０ｄに相当する左側板は、洗面部３００と収納部６００との左側板である。背面板８３０は、洗濯槽付き洗面ユニット１の背面を覆う板であり、１枚で構成されても複数枚に分割されて構成されてもよい。
【００３１】
（組み立て手順）
本実施形態の洗濯槽付き洗面ユニット１の組み立て手順について説明する。まず、洗濯機防水パン５２４が設置場所に取り付けられる。このとき、防水パン排水口５２６と下水管（不図示）との取り付けも併せて行われる。次に、洗面部３００、洗濯部５００及び操作部７００が洗濯機防水パン５２４上に取り付けられる。このとき、取り外しパネル５４２が外された状態で洗面部３００、洗濯部５００及び操作部７００が洗濯機防水パン５２４上に取り付けられ、高さ調節ツマミ５３０により水平調整が行われる。水平調整等が完了した後、取り外しパネル５４２が洗濯部５００に取り付けられる。なお、洗面部３００、洗濯部５００及び操作部７００は、一体に製作されるものとする。最後に、操作部７００上に鏡キャビネット部２００及び照明部１００が取り付けられる。
【００３２】
（高さ及び奥行きについて）
照明部１００及び鏡キャビネット部２００のＺ方向の長さ（以下、高さという）Ｈ１は例えば１０００ｍｍである。操作部７００及び洗濯部５００の高さＨ２、言い換えれば操作部７００、洗面部３００及び収納部６００の高さは、例えば１２００ｍｍである。洗濯機防水パン５２４のＹ方向の長さ（以下、奥行きという）Ｄは例えば７００ｍｍである。なお、これらの数値は一例であり、他の値であってもよい。
【００３３】
（省スペース化を実現している幅について）
次に、洗濯槽付き洗面ユニット１のＸ方向の長さ（以下、幅という）について説明する。本実施形態の洗濯槽付き洗面ユニット１の幅Ｗは例えば７００ｍｍである。本実施形態では、洗濯機防水パン５２４の幅も幅Ｗと略同じ幅としている。また、洗面器３０６の幅と家事台４１０の幅との合計の幅も幅Ｗと略同じ幅としている。
【００３４】
ここで、図３に示すように、洗面部３００の幅Ｗ１と洗濯部５００の幅Ｗ２との和は幅Ｗよりも大きい（Ｗ１＋Ｗ２＞Ｗ）。しかし、洗面部３００と洗濯部５００とがＸ方向において重なる重なり部αを有しているため、洗濯機防水パン５２４の幅でもある幅Ｗに合わせて洗面部３００と洗濯部５００とを配置することができる。これは、本実施形態の洗濯槽５１０が横型のドラム式で、洗濯槽５１０の図１における斜め左上部の空間を、洗面器３０６を設置する空間として利用しており、Ｘ方向において重なり部αがあっても、Ｚ方向において洗面器３０６と洗濯槽５１０とが干渉しないからである。このように、本実施形態では、Ｘ方向において重なり部αを設け、Ｘ方向における省スペース化を図ることができる。
【００３５】
これに対して従来は、洗濯機防水パンの一般的な幅は６００ｍｍであり、洗面台の一般的な幅は５００ｍｍである。洗面台とは独立した洗濯機を洗濯機防水パン上に設置する場合、一般的に洗濯機防水パン及び洗面台には左右１００ｍｍの余地を設ける為である。すなわち、洗濯機防水パンと洗面台との間には一般的に２００ｍｍの余地が必要である。このため、従来、洗面台と洗濯機防水パンとを並べて設置する場合、１３００ｍｍ（＝６００ｍｍ＋５００ｍｍ＋２００ｍｍ）の幅が必要であった。
【００３６】
このように、本実施形態の洗濯槽付き洗面ユニット１は、内部に洗濯部５００を備えている。従来、例えば洗面部及び収納部の隣に既製品である洗濯機を収納する空間を有する洗面ユニットがあるが、本実施形態の洗濯槽付き洗面ユニット１のように重なり部αを設けることができないため、従来の洗面ユニットでは幅方向における省スペース化を図ることができない。
【００３７】
以上、本考案の好ましい実施の形態を説明したが、本考案はこれらに限定されるものではなく、その要旨の範囲内で様々な変形や変更が可能である。
例えば、鏡２２０は固定式としているが、鏡２２０を開閉式とし、鏡２２０をドアとして兼用し収納部を有してもよい。
例えば、洗面部３００及び収納部６００と洗濯部５００とは、Ｘ方向における位置（左右の位置）を入れ替えてもよく、洗面部３００及び収納部６００と洗濯部５００の配置に応じて給水・排水等の位置を決定してもよい。
例えば、照明部及び／又は鏡キャビネット部を備えない構成としてもよい。
以上、本実施形態によれば、ユーザビリティを損なうことなく、設置場所における省スペース化を図ることができる洗濯槽付き洗面ユニットを提供することができる。
【符号の説明】
【００３８】
１          洗濯槽付き洗面ユニット
１００      照明部
１１０      照明
１２０      照明用スイッチ
２００      鏡キャビネット部
２１０      鏡
２２０      鏡
２３０、２３０ａ、２３０ｂ、２３０ｃ      収納部
２４０、２４０ａ、２４０ｂ      仕切り板
３００      洗面部
３０２      洗面用水栓
３０４      洗面器蓋
３０５      洗面器排水口
３０６      洗面器
３０７      洗面器排水蓋
３０８      洗面器排水管
３０９      排水トラップ
３１０      把持部
４００      家事台部
４１０      家事台
５００      洗濯部
５０２      操作パネル
５０４      洗剤投入口
５０６      乾燥フィルター
５０８      ドア開ボタン
５１０      ドア
５１２      洗濯槽
５１４      洗濯機用水栓
５１６      給水管
５１８      接続口
５２０      排水フィルター
５２２      洗濯機排水管
５２４      洗濯機防水パン
５２６      防水パン排水口
５２８      側板
５３０      高さ調節ツマミ
５４０      固定パネル
５４２      取り外しパネル
６００      収納部
６１０      ドア
７００      操作部
７１０      コンセント
８１０、８１０ａ、８１０ｂ、８１０ｃ、８１０ｄ      右側板
８２０      左側板
８３０      背面板
α          重なり部
【図１】
0003228427.tif 000003
【図２】
0003228427.tif 000004
【図３】
0003228427.tif 000005
【手続補正書】
【提出日】令和2年8月7日(2020.8.7)
【手続補正１】
【補正対象書類名】実用新案登録請求の範囲
【補正対象項目名】全文
【補正方法】変更
【補正の内容】
【実用新案登録請求の範囲】
【請求項１】
洗面器を有する洗面部を備える洗濯槽付き洗面ユニットであって、
洗濯物を出し入れするための開口を有する洗濯槽と、前記開口を閉塞するためのドアと、を有する洗濯部を備え、
前記洗濯槽付き洗面ユニットの上下方向に直交する幅方向における長さは、前記幅方向において前記洗面部と前記洗濯部とが重なる重なり部を有することにより、前記洗面部の前記幅方向における長さと前記洗濯部の前記幅方向における長さとの和よりも小さい、洗濯槽付き洗面ユニット。
【請求項２】
前記洗濯槽は、一端が前記開口で他端が底部となる円筒であり、
前記洗濯槽付き洗面ユニットの前記上下方向において前記洗面器と前記洗濯槽とが干渉しない、請求項１に記載の洗濯槽付き洗面ユニット。
【請求項３】
前記上下方向において前記洗濯部の上側に作業用の家事台を備える、請求項１又は請求項２に記載の洗濯槽付き洗面ユニット。
【請求項４】
前記上下方向において前記洗面部の下側に収納部を備える、請求項１から請求項３のいずれか１項に記載の洗濯槽付き洗面ユニット。
【請求項５】
前記上下方向において前記洗濯槽の下側に設けられた防水パンを備え、
前記防水パンの前記幅方向における長さは、前記洗濯槽付き洗面ユニットの前記幅方向における長さと略等しい、請求項１から請求項４のいずれか１項に記載の洗濯槽付き洗面ユニット。